(57)【要約】【課題】監視領域から遠隔の場所にいる利用者が監視領域におけるペットの状態の異常に関する判断等を効率的に行う。【解決手段】監視領域におけるペットの状態を監視する監視装置１００と、監視領域から外出する利用者が所持する通報先端末２０と、を備える監視システムにおいて、監視装置１００は、ペットの生体反応に関する生体情報を検知する重量センサ１０１および水位センサ１０２と、所定時間内に重量センサ１０１および水位センサ１０２による生体情報が検知されなかった場合、ペットの状態に異常が発生していると判断する異常判断部１５５と、異常判断部１５５によりペットの状態に異常が発生していると判断された場合、異常発生の旨を示すペット異常情報を通報する異常通報部１５６と、を備える。【選択図】        図１
2007189930.tif 000002
【特許請求の範囲】
【請求項１】
監視領域におけるペットの状態を監視する監視装置と、前記監視領域から外出する利用者が所持する通報先端末と、を備える監視システムにおいて、
前記監視装置は、
前記ペットの生体反応に関する生体情報を検知する検知手段と、
所定時間内に前記検知手段による前記生体情報が検知されなかった場合、前記ペットの状態に異常が発生していると判断する異常判断手段と、
前記異常判断手段により前記ペットの状態に異常が発生していると判断された場合、異常発生の旨を示すペット異常情報を通報する異常通報手段と、
を備えることを特徴とする監視システム。
【請求項２】
前記監視装置は、前記通報先端末の通報先を登録した通報先情報を記憶する通報先記憶手段を更に備え、
前記異常通報手段は、前記異常判断手段により前記ペットの状態に異常が発生していると判断された場合、前記通報先情報に登録された前記通報先に直接前記ペット異常情報を通報すること、
を特徴とする請求項１に記載の監視システム。
【請求項３】
前記監視システムは、前記ペットの状態に異常が発生すると所定の監視処理を実行する監視センタを更に備え、
前記異常通報手段は、前記異常判断手段により前記ペットの状態に異常が発生していると判断された場合、前記監視センタに前記通報先端末の通報先とともに前記ペット異常情報を通報し、
前記監視センタは、
前記監視装置から前記通報先および前記ペット異常情報を受信した場合、受信した前記ペット異常情報を前記通報先に送信する送受信手段を更に備えること、
を特徴とする請求項１に記載の監視システム。
【請求項４】
前記監視システムは、外部からの要求を受けて各種処理を行うサーバ装置を更に備え、
前記監視装置は、
前記監視領域における前記ペットの状態を撮像する撮像手段と、
前記撮像手段によって撮像した撮像画像を前記サーバ装置に送信する送信手段とを更に備え、
前記サーバ装置は、
画像を蓄積する画像蓄積手段と、
前記監視装置から前記撮像画像を受信して、受信した前記撮像画像を前記画像蓄積手段に保存し、前記通報先端末から前記撮像画像を要求する画像取得要求を受信した場合に、前記画像蓄積手段に蓄積された前記撮像画像を前記通報先端末に転送する転送手段とを更に備えること、
を特徴とする請求項１〜３のいずれか一つに記載の監視システム。
【請求項５】
前記監視システムは、外部からの要求を受けて各種処理を行うサーバ装置を更に備え、
前記異常通報手段は、前記異常判断手段により前記ペットの状態に異常が発生していると判断された場合、前記サーバ装置に前記通報先端末の通報先とともに前記ペット異常情報を通報し、
前記サーバ装置は、
前記監視装置から前記通報先および前記ペット異常情報を受信する受信手段と、
前記受信手段により前記ペット異常情報を受信した場合、その旨を示すペット異常情報メールを生成し、前記受信手段によって受信した前記通報先に前記ペット異常情報メールを配信する配信手段とを更に備えること、
を特徴とする請求項１に記載の監視システム。
【請求項６】
前記監視装置は、
前記監視領域における前記ペットの状態を撮像する撮像手段と、
前記撮像手段によって撮像した撮像画像を前記サーバ装置に送信する送信手段を更に備え、
前記サーバ装置は、
画像を蓄積する画像蓄積手段と、
前記監視装置から前記撮像画像を受信して、受信した前記撮像画像を前記画像蓄積手段に保存し、前記通報先端末から前記撮像画像を要求する画像取得要求を受信した場合に、前記画像蓄積手段に蓄積された前記撮像画像を前記通報先端末に転送する転送手段とを更に備えること、
を特徴とする請求項５に記載の監視システム。
【請求項７】
前記検知手段は、前記ペットの餌箱内における餌の重量の減少を前記生体情報として検知する重量センサを含むこと、
を特徴とする請求項１〜６のいずれか一つに記載の監視システム。
【請求項８】
前記検知手段は、前記ペットの給水箱内における飲料水の水位の減少を前記生体情報として検知する水位センサを含むこと、
を特徴とする請求項１〜７のいずれか一つに記載の監視システム。
【請求項９】
監視領域におけるペットの状態を監視する監視装置と、前記監視領域から外出する利用者が所持する通報先端末との間で実行される監視方法において、
前記監視装置は、
前記ペットの生体反応に関する生体情報を検知する検知ステップと、
所定時間内に前記検知ステップによる前記生体情報が検知されなかった場合、前記ペットの状態に異常が発生していると判断する異常判断ステップと、
前記異常判断ステップにより前記ペットの状態に異常が発生していると判断された場合、異常発生の旨を示すペット異常情報を通報する異常通報ステップと、
を含むことを特徴とする監視方法。
【発明の詳細な説明】
【技術分野】
【０００１】
本発明は、監視装置が設置された監視領域におけるペットの状態を監視する監視システムおよび監視方法に関するものであり、特に、ペットに異常が発生した場合、監視領域外にいる利用者にペットの状態を通報する監視システムおよび監視方法に関する。
【背景技術】
【０００２】
ペットの飼い主（利用者）が旅行等により自宅（監視領域）を留守にして遠隔の場所にいる場合に、その遠隔の場所から自宅にいるペットの状態を確認可能な技術が従来から知られている。具体的には、例えば、ペット用の給餌装置の近傍に設置したカメラによってペットを撮像した画像を端末機に送信することで、飼い主は旅行先等から、該端末機に接続されたＴＶ等によってペットの状態や餌の状態を確認できるとともに、餌や飲料水が不十分な場合には、遠隔操作により給餌装置を作動させ給餌や給水が可能な技術が開示されている（例えば特許文献１）。
【０００３】
【特許文献１】特開平８−８９１１９号公報
【発明の開示】
【発明が解決しようとする課題】
【０００４】
しかしながら、上記特許文献１の技術では、ペットを撮像した画像を端末機に送信しているため、飼い主が遠隔の場所から自宅にいるペットの状態に関する異常の有無の判断や、ペットになんらかの異常が発生したことを知るためには、ペットの状態を撮像した画像を長時間連続で監視する必要がある。しかし、利用者が監視領域から遠隔の場所にいる場合は、旅行等などの外出目的を有していることが多く、このような状況下では、撮像した画像を長時間監視することが不可能な場合が多い。このため、ペットに異常が発生しても遠隔の場所からペットの状況を把握することができず、ペットに異常が発生しても見逃してしまう場合があり、ペットの状態の異常に関する判断等を効率的に行うことができないという問題があった。
【０００５】
本発明は、上記に鑑みてなされたものであって、監視領域から遠隔の場所にいる利用者が監視領域におけるペットの状態の異常に関する判断等を効率的に行うことができる監視システムおよび監視方法を得ることを目的とする。
【課題を解決するための手段】
【０００６】
上述した課題を解決し、目的を達成するために、本発明は、監視領域におけるペットの状態を監視する監視装置と、前記監視領域から外出する利用者が所持する通報先端末と、を備える監視システムにおいて、前記監視装置は、前記ペットの生体反応に関する生体情報を検知する検知手段と、所定時間内に前記検知手段による前記生体情報が検知されなかった場合、前記ペットの状態に異常が発生していると判断する異常判断手段と、前記異常判断手段により前記ペットの状態に異常が発生していると判断された場合、異常発生の旨を示すペット異常情報を通報する異常通報手段と、を備えることを特徴とする。
【０００７】
また、本発明は、前記監視装置は、前記通報先端末の通報先を登録した通報先情報を記憶する通報先記憶手段を更に備え、前記異常通報手段は、前記異常判断手段により前記ペットの状態に異常が発生していると判断された場合、前記通報先情報に登録された前記通報先に直接前記ペット異常情報を通報すること、を特徴とする。
【０００８】
また、本発明は、前記監視システムは、前記ペットの状態に異常が発生すると所定の監視処理を実行する監視センタを更に備え、前記異常通報手段は、前記異常判断手段により前記ペットの状態に異常が発生していると判断された場合、前記監視センタに前記通報先端末の通報先とともに前記ペット異常情報を通報し、前記監視センタは、前記監視装置から前記通報先および前記ペット異常情報を受信した場合、受信した前記ペット異常情報を前記通報先に送信する送受信手段を更に備えること、を特徴とする。
【０００９】
また、本発明は、前記監視システムは、外部からの要求を受けて各種処理を行うサーバ装置を更に備え、前記監視装置は、前記監視領域における前記ペットの状態を撮像する撮像手段と、前記撮像手段によって撮像した撮像画像を前記サーバ装置に送信する送信手段とを更に備え、前記サーバ装置は、画像を蓄積する画像蓄積手段と、前記監視装置から前記撮像画像を受信して、受信した前記撮像画像を前記画像蓄積手段に保存し、前記通報先端末から前記撮像画像を要求する画像取得要求を受信した場合に、前記画像蓄積手段に蓄積された前記撮像画像を前記通報先端末に転送する転送手段とを更に備えること、を特徴とする。
【００１０】
また、本発明は、前記監視システムは、外部からの要求を受けて各種処理を行うサーバ装置を更に備え、前記異常通報手段は、前記異常判断手段により前記ペットの状態に異常が発生していると判断された場合、前記サーバ装置に前記通報先端末の通報先とともに前記ペット異常情報を通報し、前記サーバ装置は、前記監視装置から前記通報先および前記ペット異常情報を受信する受信手段と、前記受信手段により前記ペット異常情報を受信した場合、その旨を示すペット異常情報メールを生成し、前記受信手段によって受信した前記通報先に前記ペット異常情報メールを配信する配信手段とを更に備えること、を特徴とする。
【００１１】
また、本発明は、前記監視装置は、前記監視領域における前記ペットの状態を撮像する撮像手段と、前記撮像手段によって撮像した撮像画像を前記サーバ装置に送信する送信手段を更に備え、前記サーバ装置は、画像を蓄積する画像蓄積手段と、前記監視装置から前記撮像画像を受信して、受信した前記撮像画像を前記画像蓄積手段に保存し、前記通報先端末から前記撮像画像を要求する画像取得要求を受信した場合に、前記画像蓄積手段に蓄積された前記撮像画像を前記通報先端末に転送する転送手段とを更に備えること、を特徴とする。
【００１２】
また、本発明は、前記検知手段は、前記ペットの餌箱内における餌の重量の減少を前記生体情報として検知する重量センサを含むこと、を特徴とする。
【００１３】
また、本発明は、前記検知手段は、前記ペットの給水箱内における飲料水の水位の減少を前記生体情報として検知する水位センサを含むこと、を特徴とする。
【００１４】
また、本発明は、監視領域におけるペットの状態を監視する監視装置と、前記監視領域から外出する利用者が所持する通報先端末との間で実行される監視方法において、前記監視装置は、前記ペットの生体反応に関する生体情報を検知する検知ステップと、所定時間内に前記検知ステップによる前記生体情報が検知されなかった場合、前記ペットの状態に異常が発生していると判断する異常判断ステップと、前記異常判断ステップにより前記ペットの状態に異常が発生していると判断された場合、異常発生の旨を示すペット異常情報を通報する異常通報ステップと、を含むことを特徴とする。
【発明の効果】
【００１５】
本発明によれば、所定時間内に生体情報が検知されなかった場合、ペットの状態に異常が発生していると判断してペット異常情報を通報するため、ペットの撮像画像等を長時間連続で監視する必要がなくなり、利用者がペットの状態の異常に関する判断等を効率的に行うことができるという効果を奏する。
【００１６】
また、本発明によれば、所定時間内に生体情報が検知されなかった場合、ペットの状態に異常が発生していると判断して、利用者の所持する通報先端末に直接ペット異常情報を通報するため、監視領域から遠隔の場所にいる利用者がペットの状態の異常に関する判断等を効率的かつ迅速に行うことができるという効果を奏する。
【００１７】
また、本発明によれば、所定時間内に生体情報が検知されなかった場合、ペットの状態に異常が発生していると判断して、監視センタにペット異常情報を通報し、監視センタから利用者の所持する通報先端末にペット異常情報を通報するため、監視領域から遠隔の場所にいる利用者がペットの状態の異常に関する判断等を効率的に行うことができるとともに、利用者による迅速な対応が不可能であっても監視センタにより迅速な対処を行うことができるという効果を奏する。
【００１８】
また、本発明によれば、サーバ装置が利用者の所持する通報先端末から監視領域の撮像画像を要求する画像取得要求を受信した場合、画像蓄積手段に蓄積された撮像画像を通報先端末に転送するため、遠隔の場所にいる利用者が必要に応じてペットの状態や監視領域の状態を画像で確認することができ、ペットの状態の異常に関する判断等をより効率的かつ的確に行うことができるという効果を奏する。
【００１９】
また、本発明によれば、所定時間内に生体情報が検知されなかった場合、ペットの状態に異常が発生していると判断して、サーバ装置にペット異常情報を通報し、サーバ装置から利用者の所持する通報先端末にペット異常情報メールを送信する。従って、監視領域から遠隔の場所にいる利用者が異常情報メールを受信した際に何らかの理由で確認できなくても、メールを確認できる状況になり次第、既に受信済みのメールにより速やかにペットの状態を確認でき、ペットの状態の異常に関する判断等を効率的に行うことができるという効果を奏する。
【００２０】
また、本発明によれば、サーバ装置が利用者の所持する通報先端末から監視領域の撮像画像を要求する画像取得要求を受信した場合、画像蓄積手段に蓄積された撮像画像を通報先端末に転送するため、遠隔の場所にいる利用者が必要に応じてペットの状態や監視領域の状態を画像で確認することができ、ペットの状態の異常に関する判断等をより効率的かつ的確に行うことができるという効果を奏する。
【００２１】
また、本発明によれば、生体情報として重量センサによりペットの餌箱内における餌の重量の減少を検知するため、監視領域から遠隔の場所にいる利用者が、ペットが餌を食べたか否かによりペットの状態の異常に関する判断等を効率的に行うことができるという効果を奏する。
【００２２】
また、本発明によれば、生体情報として水位センサによりペットの給水箱内における飲料水の水位の減少を検知するため、監視領域から遠隔の場所にいる利用者が、ペットが飲料水を飲んだか否かによりペットの状態の異常に関する判断等を効率的に行うことができるという効果を奏する。
【発明を実施するための最良の形態】
【００２３】
以下に添付図面を参照して、この発明にかかる監視システムおよび監視方法の最良な実施の形態を詳細に説明する。
【００２４】
（第１の実施の形態）
まず、第１の実施の形態について、添付図面を参照して説明する。第１の実施の形態にかかる監視システムは、監視領域におけるペットの状態に異常が発生した場合、音声によって利用者の所持する通報先端末にその旨を通報するものである。
【００２５】
図１は、第１の実施の形態にかかる監視装置の構成を示すブロック図である。まず、本実施の形態にかかる監視システム１の構成について説明する。本実施の形態にかかる監視システム１は、監視装置１００と、サーバ装置２００と、監視センタ３００と、通報先端末２０とから構成されており、監視装置１００と、サーバ装置２００と、監視センタ３００とは、インターネットなどのネットワーク１０を介して接続されている。また、通報先端末２０と監視装置１００、通報先端末２０とサーバ装置２００は、公衆回線網やインターネットなどのネットワークで接続されている。
【００２６】
監視装置１００は、監視領域の異常を検知して、異常を検知した旨の異常検知情報を監視センタ３００等に送信するものである。また、監視装置１００は、監視領域におけるペットの状態を監視し、そのペットの状態に異常が発生していると判断された場合、通報先端末２０の通報先に異常発生の旨を示すペット異常情報を通報する。
【００２７】
サーバ装置２００は、通報先端末２０等の外部のクライアントから何らかの要求を受信した場合、受信した要求の内容に応じた各種処理を行うサービスを提供するものであり、本実施の形態では、通報先端末２０からの要求を受けて監視領域の撮像画像を通報先端末２０に送信する処理を行う。サーバ装置２００の詳細については後述する。
【００２８】
監視センタ３００は、監視装置１００からの異常検知通報を受信した場合に、待機中の警備員に対して異常が検知された監視領域へ向かう旨の指示を出すとともに、必要に応じて警察や消防など関係機関への通報を行うセンタである。
【００２９】
通報先端末２０は、監視領域から外出する利用者が所持するものであり、監視装置１００により監視領域におけるペットの状態に異常が発生していると判断された場合、ペット異常情報の通報を監視装置１００から受信するものである。また、通報先端末２０は、撮像画像の転送を要求する画像取得要求をサーバ装置２００に送信する。さらに、通報先端末２０は、サーバ装置２００から転送された撮像画像を受信した場合、その撮像画像を表示する。
【００３０】
なお、通報先端末２０は、図示しないネットワーク１０から無線でデータの送受信を行う送受信部と、通報先端末２０の各種の制御を行う制御部と、送信または入力されたデータの表示を行う表示部と、利用者による操作入力を行う操作部と、監視装置１００から送信されるデータを音声として出力するとともに監視装置１００付近にいる利用者との音声通話を行う音声通話部などから構成された公知の携帯端末と同様の構成である。このような通報先端末としては、携帯電話、ＰＤＡ（Personal Data Assistance）等の携帯端末の他、監視用に特化した携帯端末などがあげられる。さらに、通報先端末２０として、ＰＣ（Personal Computer）を用いてもよい。
【００３１】
次に、第１の実施の形態にかかる監視装置１００の詳細について説明する。図１に示すように、監視装置１００は、重量センサ１０１と、水位センサ１０２と、カメラ１０３と、操作部１０４と、入出力制御部１１０と、通信制御部１１１と、利用者データベース１２０と、通報先テーブル１３０と、制御部１５０とから主に構成されている。
【００３２】
重量センサ１０１は、監視領域にいるペットの餌箱内に設置され、餌の重量の変化（減少）を検知して検知信号を出力するものである。
【００３３】
水位センサ１０２は、監視領域にいるペットの給水箱内に設置され、飲料水の水位の変化（減少）を検知して検知信号を出力するものである。
【００３４】
本実施形態の監視装置１００では、重量センサ１０１、水位センサ１０２から出力される検知信号をペットの生体情報として扱う。これは、重量センサ１０１から検知信号が出力された場合には、餌箱の餌の重量が減少したこと、すなわちペットが餌を食べたことを意味し、これにより監視領域内のペットが正常に生存しているという生体情報を検知したことになる。また、水位センサ１０２から検知信号が出力された場合には、給水箱の水の水位が減少したこと、すなわちペットが水を飲んだことを意味し、これにより監視領域内のペットが正常に生存しているという生体情報を検知したことになる。
【００３５】
カメラ１０３は、監視領域に設置され、監視領域におけるペットの状態を撮像するものである。
【００３６】
操作部１０４は、監視領域の出入口付近に設置され、入退出する利用者からの操作入力を受け付けるもので、例えばテンキーや、接触式または非接触式のカードリーダ、タッチパネル、指紋や虹彩や静脈等の生体情報読取装置等がある。
【００３７】
入出力制御部１１０は、操作部１０４の入出力制御、重量センサ１０１、水位センサ１０２、カメラ１０３、監視領域の音声を取得するマイク（図示せず）等の入力制御、送信された音声を出力するスピーカ（図示せず）の出力制御により種々のデータの入出力を制御する処理部である。
【００３８】
通信制御部１１１は、監視装置１００とネットワーク１０との間における通信を制御するものであり、具体的にはネットワークボードなどが該当する。
【００３９】
利用者データベース１２０は、予め設定された利用者ＩＤを登録したデータベースであり、ハードディスクドライブ装置（ＨＤＤ）やメモリ等の記憶媒体に記憶されている。図２は、利用者データベース１２０のデータ構成の一例を示すデータ構造図である。図２に示すように、利用者ＩＤが複数登録されている。
【００４０】
通報先テーブル１３０は、利用者ＩＤ及び各利用者ＩＤに対応する通報先端末２０の通報先を登録したデータベースであり、ハードディスクドライブ装置（ＨＤＤ）やメモリ等の記憶媒体に記憶されている。図３は、通報先テーブル１３０のデータ構成の一例を示すデータ構造図である。図３に示すように、利用者ＩＤ及び各利用者ＩＤに対応する通報先端末２０の通報先が複数登録されている。
【００４１】
制御部１５０は、監視装置１００の全体制御を行うものであり、さらに、認証部１５１と、動作モード切替部１５２と、動作モード記憶部１５３と、計時部１５４と、異常判断部１５５と、異常通報部１５６と、送信部１５７と、を主に備えている。
【００４２】
認証部１５１は、操作部１０４から利用者により入力された利用者ＩＤが利用者データベース１２０に登録されている利用者ＩＤであるかを照合する利用者認証を行うものである。
【００４３】
動作モード切替部１５２は、後述する動作モード記憶部１５３に、利用者から受け付けた動作モードを記憶させることにより、現在の動作モードの切替設定を行うものである。
【００４４】
ここで、動作モードとは、監視領域において窓や扉の開放あるいは人の存在等の異常検知した際の通報先への通報の要否、または監視領域に対する報知の要否などを定めたモードであり、異常を検知したとき、または監視領域におけるペットの状態に異常が発生したと判断された場合の監視装置の動作を決定するモードである。また、動作モードには、通報の要否および通報先、監視領域への報知の要否などによって複数のモードが存在し、代表的な動作モードとしては、警備状態、警備解除状態、ペット監視状態がある。
【００４５】
警備状態とは、主に住人（利用者）が外出中、警備を必要とする場合に設定する動作モードであり、各種センサによって異常を検知したときに発せられる検知信号を監視装置が受信した場合に、監視センタに異常を知らせる警報を通報する状態である。なお、監視装置の設置されている監視領域において異常を検知したことを報知する場合もある。これは、侵入者を威嚇する目的や誤報である場合に警報解除操作を促す目的で報知するものである。
【００４６】
警備解除状態とは、主に住人（利用者）が在宅中、警備を必要としない場合に設定する動作モードであり、各種センサによって異常を検知したときに発せられる検知信号を監視装置が受信した場合でも、監視センタへの警報の通報、監視領域における異常の検知、通報先端末への異常の通報のいずれも行わない状態である。これは、各種センサにより異常が検知（人の存在の検知、扉の開閉の検知）されても、在宅中の住人を検知したものと判断するためである。
【００４７】
ペット監視状態とは、主に住人（利用者）が外出中、監視領域におけるペットの状態の監視を必要とする場合に設定する動作モードであり、予め定められた所定時間内に重量センサと水位センサのいずれからも生体情報が検知されなかった場合、ペットの状態に異常が発生したと判断し、通報先端末または監視センタにペット異常情報を通報する状態である。
【００４８】
動作モード記憶部１５３は、監視領域における現在の上述した動作モードを記憶するメモリなどの記憶媒体である。
【００４９】
計時部１５４は、動作モード切替部１５２により、動作モード記憶部１５３に記憶されている監視領域の現在の動作モードがペット監視状態に切り替えられた場合に、予め定めた所定時間のタイマ設定をするものである。また、計時部１５４は、所定のタイマ時間の計時中に重量センサ１０１と水位センサ１０２のいずれか一方から生体情報が検知された場合、タイマ時間をリセットして、再度改めて所定時間のタイマ設定をする。
【００５０】
異常判断部１５５は、計時部１５４により計時された所定のタイマ時間内に重量センサ１０１と水位センサ１０２のいずれか一方から生体情報が検知されたか否かを判断するものである。また、異常判断部１５５は、その所定のタイマ時間内に重量センサ１０１と水位センサ１０２のいずれからも生体情報が検知されなかった場合、監視領域におけるペットが餌や飲料水を摂取していないことになるため、ペットの状態に異常が発生していると判断する。
【００５１】
異常通報部１５６は、異常判断部１５５によりペットの状態に異常が発生していると判断された場合、通報先テーブル１３０に登録されている通報先端末２０の通報先に、音声によるペット異常情報を通報するものである。
【００５２】
送信部１５７は、カメラ１０３によって監視領域におけるペットの状態を撮像した撮像画像、および自装置である監視装置１００に固有の情報である監視装置ＩＤを、サーバ装置２００に送信するものである。
【００５３】
次に、第１の実施の形態にかかるサーバ装置２００の詳細について説明する。図４は、第１の実施の形態にかかるサーバ装置２００の構成を示すブロック図である。図４に示すように、サーバ装置２００は、画像蓄積部２１０と、ファイル転送部２０３とを主に備えている。
【００５４】
画像蓄積部２１０は、ネットワーク１０を介して接続された監視装置１００から受信した監視領域におけるペットの状態を撮像した撮像画像と、撮像画像をサーバ装置２００に送信した監視装置１００の監視装置ＩＤとを対応付けて蓄積するものである。
【００５５】
ファイル転送部２０３は、監視装置１００から撮像画像および監視装置１００の監視装置ＩＤを受信して、受信した撮像画像と監視装置ＩＤとを対応させて画像蓄積部２１０に保存する処理を行うものである。また、ファイル転送部２０３は、利用者によって通報先端末２０から撮像画像の転送を要求する画像取得要求を受信した場合、その通報先端末２０を所持する利用者がペット監視状態に設定した監視装置１００の監視装置ＩＤに対応する撮像画像を画像蓄積部２１０から取得して、取得した撮像画像を、画像取得要求を送信した通報先端末２０の通報先に転送する。具体的には、画像取得要求と撮像画像の送信は、ＨＴＴＰプロトコル（Hyper Text Transfer Protocol）に従って行われるが、これに限定されるものではなく、ＦＴＰ（File Transfer Protocol）等に従って行ってもよい。
【００５６】
次に、本実施の形態にかかる監視システム１でのペット異常情報の通報処理について説明する。図５は、第１の実施の形態にかかるペット異常情報の通報処理の全体の流れを示すシーケンス図である。まず、監視領域におけるペットの状態に異常が発生したと判断した場合、監視装置１００は、外出中の利用者の所持する通報先端末２０にペット異常情報の通報をする（ステップＳ５０１）。また、監視装置１００は、監視領域におけるペットの状態を撮像された撮像画像および自装置の監視装置ＩＤを、サーバ装置２００に送信する（ステップＳ５０２）。そして、サーバ装置２００のファイル転送部２０３は、監視装置１００から送信された撮像画像を受信し、受信した撮像画像を監視装置ＩＤに対応させて画像蓄積部２１０に保存する処理を行う。
【００５７】
次に、通報先端末２０によりペット異常情報を受信したことで、利用者はペットの状態に異常が発生した可能性を認識する。そして、利用者が監視領域におけるペットの状態を撮像した撮像画像を取得する場合、通報先端末２０は、画像取得要求をサーバ装置２００に送信する（ステップＳ５０３）。そして、画像取得要求を受信したサーバ装置２００のファイル転送部２０３は、要求に応じた撮像画像を画像蓄積部２１０から取得して、取得した撮像画像を、画像取得要求を送信した通報先端末２０に転送する（ステップＳ５０４）。
【００５８】
次に、このようなペット異常情報の通報処理における監視装置１００の詳細な処理について説明する。図６は、第１の実施の形態の監視装置１００におけるペット異常情報の通報処理の手順を示すフローチャートである。
【００５９】
まず、利用者により操作部１０４から利用者ＩＤが入力されると、認証部１５１は、操作部１０４により受け付けた利用者ＩＤが利用者データベース１２０に登録されているか否かを判断することで、認証を行う（ステップＳ６０１）。受け付けた利用者ＩＤが利用者データベース１２０に登録されていなかった場合は、認証が失敗したと判断し（ステップＳ６０１：Ｎｏ）、再度、利用者ＩＤを受け付けるまで待機する。
【００６０】
一方、受け付けた利用者ＩＤが利用者データベース１２０に登録されている場合は、認証が成功したと判断し（ステップＳ６０１：Ｙｅｓ）、動作モード切替部１５２は、動作モード記憶部１５２に記憶されている動作モードがペット監視状態に設定されているか否かを判断する（ステップＳ６０２）。動作モード記憶部１５２に記憶されている動作モードがペット監視状態以外の動作モードに設定されている場合（ステップＳ６０２：Ｎｏ）、そのまま処理を抜ける。
【００６１】
一方、動作モード記憶部１５２に記憶されている動作モードがペット監視状態に設定されている場合（ステップＳ６０２：Ｙｅｓ）、計時部１５４は、予め定めた所定時間のタイマ設定、すなわちタイマ時間の計時を開始する（ステップＳ６０３）。次に、異常判断部１５５は、重量センサ１０１と水位センサ１０２のいずれか一方から検知信号が出力されたか否か、すなわち生体情報が検知されたか否かを判断する（ステップＳ６０４）。そして、重量センサ１０１と水位センサ１０２のいずれか一方から検知信号が出力された場合、すなわち、一方のセンサから生体情報が検知された場合（ステップＳ６０４：Ｙｅｓ）、計時部１５４は、タイマ時間をリセットして（ステップＳ６０５）、再度改めて所定時間のタイマ設定をする。
【００６２】
一方、ステップＳ６０４において、重量センサ１０１と水位センサ１０２のいずれからも検知信号が出力されていない場合、すなわち生体情報が検知されなかった場合（ステップＳ６０４：Ｎｏ）、計時部１５４は、タイマ時間が経過したか否かの判断をする（ステップＳ６０６）。そして、計時部１５４によりタイマ時間が経過していない場合（ステップＳ６０６：Ｎｏ）、再度、異常判断部１５５は、重量センサ１０１と水位センサ１０２のいずれか一方から検知信号が出力されているか否か（生体情報が検知されたか否か）を判断する（ステップＳ６０４）。
【００６３】
一方、重量センサ１０１、水位センサ１０２のいずれからも検知信号が出力されておらず、生体情報が検知されなかった場合で（ステップＳ６０４：Ｎｏ）、かつ計時部１５４によりタイマ時間が経過している場合（ステップＳ６０６：Ｙｅｓ）、ペットの状態に異常が発生していると判断する。そして、異常通報部１５６は、通報先テーブル１３０に登録されている通報先端末２０の通報先に、音声によるペット異常情報を通報する（ステップＳ６０７）。
【００６４】
ペット異常情報の通報がされると、カメラ１０３は、監視領域におけるペットの状態を撮像する（ステップＳ６０８）。そして、送信部１５７は、自装置の監視装置ＩＤおよびカメラ１０３により撮像した撮像画像を、サーバ装置２００に送信する（ステップＳ６０９）。
【００６５】
このように、第１の実施の形態にかかる監視システム１は、監視装置１００により、所定時間内にペットが餌を食べたか否か、または飲料水を飲んだか否かによる生体情報が検知されなかった場合、監視領域におけるペットの状態に異常が発生したと判断し、音声によって利用者の所持する通報先端末２０に直接ペット異常情報を通報する。従って、監視領域から遠隔の場所にいる利用者がペットの状態の異常に関する判断等を効率的かつ迅速に行うことができる。
【００６６】
また、サーバ装置２００に利用者の所持する通報先端末２０から監視領域の撮像画像を要求した場合、画像蓄積部２１０に蓄積された撮像画像を通報先端末２０に転送するため、遠隔の場所にいる利用者が必要に応じてペットの状態や監視領域の状態を画像で確認することができ、ペットの状態の異常に関する判断等をより効率的かつ的確に行うことができる。
【００６７】
（第２の実施の形態）
第１の実施の形態にかかる監視装置は、ペット異常情報を音声により直接通報先端末に通報しているが、第２の実施の形態にかかる監視装置は、サーバ装置を介することでペット異常情報をメールにより通報先端末に通報するものである。
【００６８】
本実施の形態にかかる監視システムのネットワーク構成は、図１で示した第１の実施の形態と同様であり、監視装置１００と、サーバ装置２５０と、監視センタ３００と、通報先端末２０とから構成されている。ここで、監視センタ３００の説明は第１の実施の形態と同様であるため、省略する。
【００６９】
本実施の形態の監視装置１００は、監視領域におけるペットの状態を監視し、そのペットの状態に異常が発生していると判断された場合、サーバ装置２５０に異常発生の旨を示すペット異常情報を通報する。
【００７０】
サーバ装置２５０は、第１の実施の形態にかかるサーバ装置と同様に、通報先端末２０等の外部のクライアントから何らかの要求を受信した場合、受信した要求の内容に応じた各種処理を行うサービスを提供するものである。また、サーバ装置２５０は、監視装置１００により監視領域におけるペットの状態に異常が発生していると判断された場合に通報されるペット異常情報を受信し、携帯端末２０にその旨を示すペット異常情報メールを配信する。サーバ装置２５０の詳細については後述する。
【００７１】
通報先端末２０は、監視領域から外出する利用者が所持するものであり、監視装置１００により監視領域におけるペットの状態に異常が発生していると判断された場合、ペット異常情報メールをサーバ装置２５０から受信する。さらに、通報先端末２０は、画像取得要求を送信するためのＵＲＬ（Uniform Resource Locator）が指定されたペット異常情報メールを受信するように構成してもよい。また、通報先端末２０は、指定されたＵＲＬにアクセスすることで、撮像画像の転送を要求する画像取得要求をサーバ装置２００に送信し、サーバ装置２５０から転送された撮像画像を受信した場合、その撮像画像を表示する。このような通報先端末としては、携帯電話、ＰＤＡ等の携帯端末の他、監視用に特化した携帯端末などがあげられる。さらに、通報先端末２０として、ＰＣを用いてもよい。なお、通報先端末２０の機能および構成は、第１の実施の形態と同様であるため、省略する。
【００７２】
次に、第２の実施の形態にかかる監視装置１００について説明する。ここで、第２の実施の形態にかかる監視装置１００の構成は、図１で示した第１の実施の形態の監視装置と同様である。ただし、制御部１５０における異常通報部１５６の機能が第１の実施の形態と異なっている。
【００７３】
本実施の形態にかかる監視装置１００の異常通報部１５６は、異常判断部１５５によりペットの状態に異常が発生していると判断された場合、通報先テーブル１３０に登録されている通報先端末２０の通報先のメールアドレス、およびペット異常情報を、サーバ装置２５０に通報する点で、ペット異常情報を通報先端末２０に直接通報する第１の実施の形態と異なっている。
【００７４】
次に、第２の実施の形態にかかるサーバ装置２５０の詳細について説明する。図７は、第２の実施の形態にかかるサーバ装置２５０の機能的構成を示すブロック図である。図７に示すように、サーバ装置２５０は、画像蓄積部２１０と、受信部２０１と、メール配信部２０２と、ファイル転送部２０３とを主に備えている。
【００７５】
画像蓄積部２１０は、第１の実施の形態にかかるサーバ装置２００の画像蓄積部２１０と同様に、監視装置１００から受信した撮像画像と、撮像画像をサーバ装置２５０に送信した監視装置１００の監視装置ＩＤとを対応付けて蓄積するものである。
【００７６】
受信部２０１は、ネットワーク１０を介して接続された監視装置１００から、ペット異常情報メールを配信する通報先端末２０の通報先のメールアドレス、およびペット異常情報を受信するものである。
【００７７】
メール配信部２０２は、受信部２０１によりペット異常情報を受信した場合、その旨を示すペット異常情報メールを生成し、受信部２０１によって受信した通報先端末２０の通報先のメールアドレスにペット異常情報メールを配信するものである。また、メール配信部２０２は、ペット異常情報メールに、画像取得要求を送信するためのＵＲＬを指定して通報先端末２０に配信してもよい。
【００７８】
ファイル転送部２０３は、監視装置１００から撮像画像および監視装置１００の監視装置ＩＤを受信して、受信した撮像画像と監視装置ＩＤとを対応させて画像蓄積部２１０に保存する処理を行うものである。また、ファイル転送部２０３は、利用者によって通報先端末２０に配信されたペット異常情報メールに指定されたＵＲＬから撮像画像の転送を要求する画像取得要求を受信した場合、その通報先端末２０を所持する利用者がペット監視状態に設定した監視装置１００の監視装置ＩＤに対応する撮像画像を画像蓄積部２１０から取得して、取得した撮像画像を、画像取得要求を送信した通報先端末２０に転送する。すなわち、本実施の形態では、指定されたＵＲＬからアクセスされた画像取得要求を受信する点で、ＵＲＬが指定されていないために他の方法により画像取得要求を受信する第１の実施の形態と異なっている。
【００７９】
次に、本実施の形態にかかる監視システム１でのペット異常情報の通報処理について説明する。図８は、第２の実施の形態にかかるペット異常情報の通報処理の全体の流れを示すシーケンス図である。まず、監視領域におけるペットの状態に異常が発生したと判断した場合、監視装置１００は、サーバ装置２５０に通報先端末２０の通報先のメールアドレスとともにペット異常情報の通報をする（ステップＳ７０１）。そして、サーバ装置２５０の受信部２０１は、監視装置１００から通報先のメールアドレスとペット異常情報を受信する。
【００８０】
さらに、監視装置１００は、監視領域におけるペットの状態を撮像された撮像画像および自装置の監視装置ＩＤを、サーバ装置２５０に送信する（ステップＳ７０２）。そして、サーバ装置２５０のファイル転送部２０３は、監視装置１００から送信された撮像画像を受信し、受信した撮像画像を監視装置ＩＤに対応させて画像蓄積部２１０に保存する処理を行う。
【００８１】
次に、サーバ装置２５０のメール配信部２０２は、受信部２０１によって受信したペット異常情報の内容を示し、画像取得要求を送信するためのＵＲＬを指定したペット異常情報メールを生成し、受信部２０１によって受信した通報先端末２０の通報先のメールアドレスに、生成したペット異常情報メールを配信する（ステップＳ７０３）。
【００８２】
図９は、サーバ装置２５０から通報先端末２０に配信されたペット異常情報メールが、通報先端末２０の表示部に表示された場合の一例を示す模式図である。図９に示すように、時間（１６：３０）とともに、ペット異常情報の通報である旨（異常通報）が表示され、あて先（利用者ＩＤおよび名前）、「ペットに異常が発生しているおそれがあります。」などの通報内容が表示される。さらに、画像取得要求をサーバ装置２５０に送信するためのＵＲＬが表示されている。
【００８３】
次に、通報先端末２０によりペット異常情報メールを受信したことで、利用者はペットの状態に異常が発生した可能性を認識する。そして、利用者が監視領域におけるペットの状態を撮像した撮像画像を取得する場合、通報先端末２０は、指定されたＵＲＬにアクセスすることで画像取得要求をサーバ装置２５０に送信する（ステップＳ７０４）。そして、画像取得要求を受信したサーバ装置２５０のファイル転送部２０３は、要求に応じた撮像画像を画像蓄積部２１０から取得して、取得した撮像画像を、画像取得要求を送信した通報先端末２０に転送する（ステップＳ７０５）。
【００８４】
次に、このようなペット異常情報の通報処理における監視装置１００の詳細な処理について説明する。図１０は、第２の実施の形態の監視装置１００におけるペット異常情報の通報処理の手順を示すフローチャートである。
【００８５】
ここで、認証部１５１による利用者ＩＤの認証の判断から、計時部１５４によるタイマ時間が経過したか否かの判断までの処理は（ステップＳ８０１〜Ｓ８０６）、第１の実施の形態の処理と同様であるため省略する（ステップＳ６０１〜Ｓ６０６）。
【００８６】
そして、重量センサ１０１、水位センサ１０２のいずれからも検知信号が出力されておらず、生体情報が検知されなかった場合で（ステップＳ８０４：Ｎｏ）、かつ計時部１５４によりタイマ時間が経過している場合（ステップＳ８０６：Ｙｅｓ）、ペットの状態に異常が発生していると判断する。そして、異常通報部１５６は、通報先テーブル１３０に登録されている通報先端末２０の通報先とともにペット異常情報を、サーバ装置２５０に通報する（ステップＳ８０７）。そして、サーバ装置２５０により通報先端末２０の通報先に、ペット異常情報が送信されることで通報される。
【００８７】
また、カメラ１０３による撮像から、送信部１５７による撮像画像の送信までの処理は（ステップＳ８０８、Ｓ８０９）、第１の実施の形態の処理と同様であるため省略する（ステップＳ６０８、Ｓ６０９）。
【００８８】
このように、第２の実施の形態にかかる監視システム１は、監視装置１００により、所定時間内にペットが餌を食べたか否か、または飲料水を飲んだか否かによる生体情報が検知されなかった場合、監視領域におけるペットの状態に異常が発生したと判断し、サーバ装置２５０を介してメールによって利用者の所持する通報先端末２０にペット異常情報を通報する。従って、監視領域から遠隔の場所にいる利用者が異常情報メールを受信した際に何らかの理由で確認できなくても、メールを確認できる状況になり次第、既に受信済みのメールにより速やかにペットの状態を確認でき、ペットの状態の異常に関する判断等を効率的に行うことができる。
【００８９】
また、サーバ装置２５０に利用者の所持する通報先端末２０からＵＲＬにアクセスすることにより監視領域の撮像画像を要求した場合、画像蓄積部２１０に蓄積された撮像画像を通報先端末２０に転送するため、遠隔の場所にいる利用者が必要に応じてペットの状態や監視領域の状態を画像で確認することができ、ペットの状態の異常に関する判断等をより効率的かつ的確に行うことができる。
【００９０】
（第３の実施の形態）
第１の実施の形態にかかる監視装置は、ペット異常情報またはペット異常情報メールを通報先端末に通報しているが、第３の実施の形態にかかる監視装置は、ペット異常情報を監視センタに通報するものである。
【００９１】
図１１は、第３の実施の形態にかかる監視装置の構成を示すブロック図である。まず、本実施の形態にかかる監視システム２の構成について説明する。本実施の形態にかかる監視システム２は、第１の実施の形態と同様であり、監視装置９００と、サーバ装置２００と、監視センタ１０００と、通報先端末２０とから構成されている。なお、サーバ装置２００の機能および構成は第１の実施の形態と同様であるため省略する。
【００９２】
監視装置９００は、監視領域の異常を検知して、異常を検知した旨の異常検知情報を監視センタ１０００等に送信するものである。また、監視装置９００は、監視領域におけるペットの状態を監視し、そのペットの状態に異常が発生していると判断された場合、監視センタ１０００に異常発生の旨を示すペット異常情報を通報する。
【００９３】
監視センタ１０００は、監視装置９００からの異常検知通報を受信した場合に、待機中の警備員に対して異常が検知された監視領域へ向かう旨の指示を出すとともに、必要に応じて警察や消防など関係機関への通報を行うセンタである。また、監視装置９００により監視領域におけるペットの状態に異常が発生していると判断された場合、ペット異常情報の通報を監視装置９００から受信するものである。監視センタ１０００の詳細については後述する。
【００９４】
通報先端末２０は、監視領域から外出する利用者が所持するものであり、監視装置９００により監視領域におけるペットの状態に異常が発生していると判断された場合に監視センタ１０００へ通報されたペット異常情報を、監視センタ１０００から受信するものである。また、通報先端末２０は、撮像画像の転送を要求する画像取得要求をサーバ装置２００に送信し、サーバ装置２００から転送された撮像画像を受信した場合、その撮像画像を表示する。このような通報先端末としては、携帯電話、ＰＤＡ等の携帯端末の他、監視用に特化した携帯端末などがあげられる。さらに、通報先端末２０として、ＰＣを用いてもよい。なお、通報先端末２０の機能および構成は、第１の実施の形態と同様であるため、省略する。
【００９５】
次に、第３の実施の形態にかかる監視装置９００の詳細について説明する。図１１に示すように、監視装置９００は、重量センサ１０１と、水位センサ１０２と、カメラ１０３と、操作部１０４と、入出力制御部１１０と、通信制御部１１１と、利用者データベース１２０と、通報先テーブル１３０と、制御部９５０とから主に構成されている。ここで、重量センサ１０１と、水位センサ１０２と、カメラ１０３と、操作部１０４と、入出力制御部１１０と、通信制御部１１１と、利用者データベース１２０と、通報先テーブル１３０の機能および構成は、第１の実施の形態と同様であるため省略する。
【００９６】
制御部９５０は、監視装置９００の全体制御を行うものであり、さらに、認証部１５１と、動作モード切替部１５２と、動作モード記憶部１５３と、計時部１５４と、異常判断部１５５と、異常通報部９５６と、送信部１５７と、を主に備えている。ここで、認証部１５１と、動作モード切替部１５２と、動作モード記憶部１５３と、計時部１５４と、異常判断部１５５と、送信部１５７の機能および構成は、第１の実施の形態と同様であるため省略する。ただし、制御部９５０における異常通報部９５６の機能が第１の実施の形態と異なっている。
【００９７】
本実施の形態にかかる監視装置９００の異常通報部９５６は、異常判断部１５５によりペットの状態に異常が発生していると判断された場合、ペット異常情報を監視センタ１０００を介して通報先端末２０に通報するため、通報先端末２０の通報先とともにペット異常情報を監視センタ１０００に通報する点で、ペット異常情報を通報先端末２０に直接通報する第１の実施の形態と異なっている。
【００９８】
次に、第３の実施の形態にかかる監視センタ１０００の詳細について説明する。図１２は、第３の実施の形態にかかる監視センタ１０００の構成を示すブロック図である。監視センタ１０００は、送受信部１００１と、通報先テーブル１１００とを主に備えている。
【００９９】
送受信部１００１は、ネットワーク１０を介して接続された監視装置９００から、ペット異常情報を送信する通報先端末２０の通報先、およびペット異常情報を受信するものである。また、送受信部１００１は、受信した通報先端末２０の通報先を、通報先テーブル１１００に保存する処理を行う。さらに、送受信部１００１は、受信した通報先端末２０の通報先に、ペット異常情報を送信する。
【０１００】
通報先テーブル１１００は、通報先端末２０の通報先を登録したデータベースであり、ハードディスクドライブ装置（ＨＤＤ）やメモリ等の記憶媒体に記憶されている。
【０１０１】
次に、本実施の形態にかかる監視システム２でのペット異常情報の通報処理について説明する。図１３は、第３の実施の形態にかかるペット異常情報の通報処理の全体の流れを示すシーケンス図である。まず、監視領域におけるペットの状態に異常が発生したと判断した場合、監視装置９００は、監視センタ１０００に通報先端末２０の通報先とともにペット異常情報の通報をする（ステップＳ１１０１）。また、監視装置１００は、監視領域におけるペットの状態を撮像された撮像画像および自装置の監視装置ＩＤを、サーバ装置２００に送信する（ステップＳ１１０２）。そして、サーバ装置２００のファイル転送部２０３は、監視装置９００から送信された撮像画像を受信し、受信した撮像画像を監視装置ＩＤに対応させて画像蓄積部２１０に保存する処理を行う。また、監視センタ１０００は、監視装置９００から受信した通報先端末２０の通報先にペット異常情報を送信することで通報する（ステップＳ１１０３）。
【０１０２】
次に、通報先端末２０によりペット異常情報を受信したことで、利用者はペットの状態に異常が発生した可能性を認識する。そして、利用者が監視センタ１０００の対処員を監視領域に派遣する要求をする場合、通報先端末２０は、その旨を示す対処員派遣要求を監視センタ１０００に送信する（ステップＳ１１０４）。対処員派遣要求を受信した監視センタ１０００は、対処員を監視領域に派遣して、監視領域におけるペットの異常に適した対処を施す。
【０１０３】
また、利用者がペットの状態に異常が発生した可能性を認識して、監視領域におけるペットの状態を撮像した撮像画像を取得する場合、通報先端末２０は、画像取得要求をサーバ装置２００に送信する（ステップＳ１１０５）。そして、画像取得要求を受信したサーバ装置２００のファイル転送部２０３は、要求に応じた撮像画像を画像蓄積部２１０から取得して、取得した撮像画像を、画像取得要求を送信した通報先端末２０に転送する（ステップＳ１１０６）。
【０１０４】
次に、このようなペット異常情報の通報処理における監視装置９００の詳細な処理について説明する。図１４は、第３の実施の形態の監視装置９００におけるペット異常情報の通報処理の手順を示すフローチャートである。
【０１０５】
ここで、認証部１５１による利用者ＩＤの認証の判断から、計時部１５４によるタイマ時間が経過したか否かの判断までの処理は（ステップＳ１２０１〜Ｓ１２０６）、第１の実施の形態の処理と同様であるため省略する（ステップＳ６０１〜Ｓ６０６）。
【０１０６】
そして、重量センサ１０１、水位センサ１０２のいずれからも検知信号が出力されておらず、生体情報が検知されなかった場合で（ステップＳ１２０４：Ｎｏ）、かつ計時部１５４によりタイマ時間が経過している場合（ステップＳ１２０６：Ｙｅｓ）、ペットの状態に異常が発生していると判断する。そして、異常通報部９５６は、通報先テーブル１３０に登録されている通報先端末２０の通報先とともにペット異常情報を、監視センタ１０００に通報する（ステップＳ１２０７）。そして、監視センタ１０００により通報先端末２０の通報先に、ペット異常情報が送信されることで通報される。
【０１０７】
また、カメラ１０３による撮像から、送信部１５７による撮像画像の送信までの処理は（ステップＳ１２０８、Ｓ１２０９）、第１の実施の形態の処理と同様であるため省略する（ステップＳ６０８、Ｓ６０９）。
【０１０８】
このように、第３の実施の形態にかかる監視システム２は、監視装置９００により、所定時間内にペットが餌を食べたか否か、または飲料水を飲んだか否かによる生体情報が検知されなかった場合、監視領域におけるペットの状態に異常が発生したと判断し、監視センタ１０００にペット異常情報を通報し、監視センタ１０００から利用者の所持する通報先端末２０にペット異常情報を通報する。従って、監視領域から遠隔の場所にいる利用者がペットの状態の異常に関する判断等を効率的に行うことができるとともに、利用者による迅速な対応が不可能であっても監視センタ１０００により迅速な対処を行うことができる。
【０１０９】
また、サーバ装置２００に利用者の所持する通報先端末２０から監視領域の撮像画像を要求した場合、画像蓄積部２１０に蓄積された撮像画像を通報先端末２０に転送するため、遠隔の場所にいる利用者が必要に応じてペットの状態や監視領域の状態を画像で確認することができ、ペットの状態の異常に関する判断等をより効率的かつ的確に行うことができる。
なお、第１から３の実施の形態では、生体情報を検知するセンサとして、重量センサと水位センサを使用しているが、これらのセンサに限定されるものではなく、生体情報を検知することができるセンサであればいずれのセンサを用いることができる。
【図面の簡単な説明】
【０１１０】
【図１】第１の実施の形態にかかる監視装置の構成を示すブロック図である。
【図２】利用者データベース１２０のデータ構成の一例を示すデータ構造図である。
【図３】通報先テーブル１３０のデータ構成の一例を示すデータ構造図である。
【図４】第１の実施の形態にかかるサーバ装置２００の構成を示すブロック図である。
【図５】第１の実施の形態にかかるペット異常情報の通報処理の全体の流れを示すシーケンス図である。
【図６】第１の実施の形態の監視装置１００におけるペット異常情報の通報処理の手順を示すフローチャートである。
【図７】第２の実施の形態にかかるサーバ装置２５０の機能的構成を示すブロック図である。
【図８】第２の実施の形態にかかるペット異常情報の通報処理の全体の流れを示すシーケンス図である。
【図９】サーバ装置２００から通報先端末２０に配信されたペット異常情報メールが、通報先端末２０の表示部に表示された場合の一例を示す模式図である。
【図１０】第２の実施の形態の監視装置１００におけるペット異常情報の通報処理の手順を示すフローチャートである。
【図１１】第３の実施の形態にかかる監視装置の構成を示すブロック図である。
【図１２】第３の実施の形態にかかる監視センタ１０００の構成を示すブロック図である。
【図１３】第３の実施の形態にかかるペット異常情報の通報処理の全体の流れを示すシーケンス図である。
【図１４】第３の実施の形態の監視装置９００におけるペット異常情報の通報処理の手順を示すフローチャートである。
【符号の説明】
【０１１１】
１０  ネットワーク
２０  通報先端末
１００，９００  監視装置
１０１  重量センサ
１０２  水位センサ
１０３  カメラ
１０４  操作部
１１０  入出力制御部
１１１  通信制御部
１２０  利用者データベース
１３０  通報先テーブル
１５０，９５０  制御部
１５１  認証部
１５２  動作モード切替部
１５３  動作モード記憶部
１５４  計時部
１５５  異常判断部
１５６，９５６  異常通報部
１５７  送信部
２００，２５０  サーバ装置
２０１  受信部
２０２  メール配信部
２０３  ファイル転送部
２１０  画像蓄積部
３００，１０００  監視センタ
１００１  送受信部
１１００  通報先テーブル
【図１】
2007189930.tif 000003
【図２】
2007189930.tif 000004
【図３】
2007189930.tif 000005
【図４】
2007189930.tif 000006
【図５】
2007189930.tif 000007
【図６】
2007189930.tif 000008
【図７】
2007189930.tif 000009
【図８】
2007189930.tif 000010
【図９】
2007189930.tif 000011
【図１０】
2007189930.tif 000012
【図１１】
2007189930.tif 000013
【図１２】
2007189930.tif 000014
【図１３】
2007189930.tif 000015
【図１４】
2007189930.tif 000016